Podtech/llm-jp-corpus-v4-ja_patent huggingface dataset:
【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
前胴回り域と、後胴回り域と、前記前胴回り域と前記後胴回り域との間に位置する股下域とを有し、
前記前胴回り域から前記後胴回り域に向かう製品長手方向と、前記製品長手方向と直交する製品幅方向と、を備え、
前記股下域を跨ぎ前記前胴回り域及び前記後胴回り域に延びる吸収体と、を備え、
前記前胴回り域の製品幅方向外側端部と前記後胴回り域の製品幅方向外側端部がサイド接合部において接合されることにより、着用者の腰が挿入される腰回り開口部及び前記着用者の脚が挿入される脚回り開口部が設けられる使い捨ておむつであって、
前記後胴回り域は、前記サイド接合部において接合された状態で、前記製品長手方向に区画された第１領域、第２領域、及び第３領域を含み、
前記第１領域は、前記後胴回り域の製品長手方向外側端部に位置し、
前記第２領域は、前記後胴回り域の製品長手方向内側端部に位置し、
前記第３領域は、前記第１領域と前記第２領域の間に位置し、
前記第１領域の前記製品幅方向の伸縮率及び前記第２領域の前記製品幅方向の伸縮率は、前記第３領域の前記製品幅方向の伸縮率よりも高く、
前記第１領域の前記製品幅方向の伸縮率及び前記第３領域の前記製品幅方向の伸縮率は、前記第２領域の前記製品幅方向の伸縮率よりも高く、
前記第３領域の前記製品長手方向の伸縮率は、前記第１領域の前記製品長手方向の伸縮率及び前記第２領域の前記製品長手方向の伸縮率よりも高い、使い捨ておむつ。
【請求項２】
前記第１領域には、前記腰回り開口部に沿って配置され、前記製品幅方向に伸縮する第１伸縮性部材と、
前記第２領域には、前記製品幅方向に伸縮する第２伸縮性部材と、を備え、
前記第３領域には、前記製品長手方向において折り畳まれた襞が形成されている、請求項１に記載の使い捨ておむつ。
【請求項３】
前記第２伸縮性部材は、前記吸収体よりも前記着用者の肌当接面側において、前記吸収体と離間して配置されている、請求項２に記載の使い捨ておむつ。
【請求項４】
前記吸収体を有する吸収性本体と、
前記吸収性本体よりも前記着用者の非肌当接面側に配置され、かつ前記サイド接合部及び前記腰回り開口部が設けられる外装体と、を備えており、
前記第１伸縮性部材及び前記第２伸縮性部材は、前記外装体に固定されている、請求項２又は請求項３に記載の使い捨ておむつ。
【請求項５】
前記襞の折り畳まれた領域同士を接合した襞接合部が設けられており、
前記襞接合部は、前記吸収体よりも前記製品幅方向外側に配置されている、請求項２から請求項４のいずれかに記載の使い捨ておむつ。
【請求項６】
前記吸収体と、前記吸収体よりも肌当接面側に配置された表面シートと、前記吸収体よりも非肌当接面側に配置された裏面シートと、を有する吸収性本体を備え、
前記襞接合部は、前記吸収性本体よりも前記製品幅方向外側に配置されている、請求項５に記載の使い捨ておむつ。
【請求項７】
前記襞接合部は、前記サイド接合部に配置されている、請求項５又は請求項６に記載の使い捨ておむつ。
【請求項８】
前記サイド接合部は、前記前胴回り域と前記後胴回り域とが溶着されており、
前記サイド接合部の前記襞接合部が設けられた領域の溶着面積率は、前記サイド接合部の前記襞接合部以外の領域の溶着面接率よりも低い、請求項７に記載の使い捨ておむつ。
【請求項９】
前記襞は、前記製品幅方向に沿う折り目を基点に折り畳まれることによって形成されており、
前記折り目は、第１折り目と、前記第１折り目よりも前記腰回り開口部側に位置する第２折り目と、を備えており、
前記第１折り目は、前記第２折り目よりも非肌当接面側に位置する、請求項２から請求項８のいずれかに記載の使い捨ておむつ。
【請求項１０】
前記第２折り目には、前記製品幅方向に伸縮する腰回り伸縮性部材が設けられている、請求項９に記載の使い捨ておむつ。
【請求項１１】
前記襞は、前記製品長手方向において折り畳まれ、かつ前記製品幅方向において折り畳まれて形成されている、請求項２から請求項１０のいずれかに記載の使い捨ておむつ。
【請求項１２】
前記第１伸縮性部材及び前記第２伸縮性部材は、パンツ型に形成された状態で前記製品幅方向における全周に亘って形成されている、請求項２から請求項１１のいずれかに記載の使い捨ておむつ。
【請求項１３】
前記第１領域の前記製品幅方向の収縮応力は、前記第２領域の前記製品幅方向の収縮応力よりも高い、請求項１から請求項１２のいずれかに記載の使い捨ておむつ。
【手続補正２】
【補正対象書類名】明細書
【補正対象項目名】０００９
【補正方法】変更
【補正の内容】
【０００９】
本開示に係る使い捨ておむつは、前胴回り域（前胴回り域Ｓ１）と、後胴回り域（後胴回り域Ｓ２）と、前記前胴回り域と前記後胴回り域との間に位置する股下域（股下域Ｓ３）とを有し、前記前胴回り域から前記後胴回り域に向かう製品長手方向（製品長手方向Ｌ）と、前記製品長手方向と直交する製品幅方向（製品幅方向Ｗ）と、前記股下域を跨ぎ前記前胴回り域及び前記後胴回り域に延びる吸収体（吸収体）４と、を備え、前記前胴回り域の前記製品幅方向外側端部と前記後胴回り域の前記製品幅方向外側端部がサイド接合部（サイド接合部３０）において接合されることにより、着用者の腰が挿入される腰回り開口部（腰回り開口部２１）及び前記着用者の脚が挿入される脚回り開口部（脚回り開口部２２）が設けられる使い捨ておむつであって、前記後胴回り域は、前記サイド接合部において接合された状態で、前記製品長手方向に区画された第１領域（第１領域Ｒ１）、第２領域（第２領域Ｒ２）、及び第３領域（第３領域Ｒ３）を含み、前記第１領域は、前記後胴回り域の前記製品長手方向外側端部に位置し、前記第２領域は、前記後胴回り域の前記製品長手方向内側端部に位置し、前記第３領域は、前記第１領域と前記第２領域の間に位置し、前記第１領域の前記製品幅方向の伸縮率及び前記第２領域の前記製品幅方向の伸縮率は、前記第３領域の前記製品幅方向の伸縮率よりも高く、前記第１領域の前記製品幅方向の伸縮率及び前記第３領域の前記製品幅方向の伸縮率は、前記第２領域の前記製品幅方向の伸縮率よりも高く、前記第３領域の前記製品長手方向の伸縮率は、前記第１領域の前記製品長手方向の伸縮率及び前記第２領域の前記製品長手方向の伸縮率よりも高いことを要旨とする。
【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
前胴回り域と、後胴回り域と、前記前胴回り域と前記後胴回り域との間に位置する股下域とを有し、
前記前胴回り域から前記後胴回り域に向かう製品長手方向と、前記製品長手方向と直交する製品幅方向と、を備え、
前記股下域を跨ぎ前記前胴回り域及び前記後胴回り域に延びる吸収性コアと、
着用者の腰が挿入される腰回り開口部と、
前記着用者の脚が挿入される脚回り開口部と、を備える使い捨ておむつであって、
前記吸収性コアが配置された吸収性コア配置領域には、前記吸収性コアが厚み方向に曲がることができるように形成された曲部が形成されており、
前記曲部は、前記前胴回り域において前記製品幅方向に延びており、
前記曲部に沿って配置され、前記製品幅方向に伸縮する第１伸縮性部材と、
前記第１伸縮性部材よりも前記製品長手方向外側に配置され、前記製品幅方向に伸縮する第２伸縮性部材と、を有する、使い捨ておむつ。
【請求項２】
前記第１伸縮性部材が配置された第１領域の伸縮率は、前記第２伸縮性部材が配置された第２領域の伸縮率よりも高い、請求項１に記載の使い捨ておむつ。
【請求項３】
前記曲部は、前記着用者の中腹部と下腹部の境界に対応して配置され、
前記第２領域は、前記着用者の中腹部に対応して配置される、請求項２に記載の使い捨ておむつ。
【請求項４】
前記曲部は、前記吸収性コアに形成された切欠き、前記吸収性コアを厚み方向において圧搾した圧搾部、前記吸収性コアにおいて周囲の前記吸収性コアと目付が異なる目付境界部、前記吸収性コアにおいて周囲の前記吸収性コアと厚みが異なる厚み境界部、前記吸収性コアにおいて周囲の前記吸収性コアと密度が異なる密度境界部、及び前記製品幅方向に伸縮する伸縮部のうち、少なくともいずれかを含んで形成されている、請求項１から請求項３のいずれかに記載の使い捨ておむつ。
【請求項５】
前記第１伸縮性部材は、前記曲部よりも前記製品長手方向外側において前記曲部に隣接して配置されている、請求項１から請求項４のいずれかに記載の使い捨ておむつ。
【請求項６】
前記曲部は、前記製品幅方向外側端部から前記製品幅方向中央に向かって前記股下域側に突出している、請求項１から請求項５のいずれかに記載の使い捨ておむつ。
【請求項７】
前記第１伸縮性部材は、前記製品幅方向外側端部から前記製品幅方向中央に向かって前記股下域側に突出している、請求項１から請求項６のいずれかに記載の使い捨ておむつ。
【請求項８】
前記使い捨ておむつの伸長状態において、前記使い捨ておむつの前記製品幅方向中央を通り、かつ前記製品長手方向に延びる仮想線における前記使い捨ておむつの前側端部と前記曲部との距離は、４０ｍｍ以上かつ８０ｍｍ以下である、請求項１から請求項７のいずれかに記載の使い捨ておむつ。
【手続補正２】
【補正対象書類名】明細書
【補正対象項目名】０００８
【補正方法】変更
【補正の内容】
【０００８】
本開示に係る使い捨ておむつは、前胴回り域（前胴回り域Ｓ１）と、後胴回り域（後胴回り域Ｓ２）と、前記前胴回り域と前記後胴回り域との間に位置する股下域（股下域Ｓ３）とを有し、前記前胴回り域から前記後胴回り域に向かう製品長手方向（製品長手方向Ｌ）と、前記製品長手方向と直交する製品幅方向（製品幅方向Ｗ）と、を備え、前記股下域を跨ぎ前記前胴回り域及び前記後胴回り域に延びる吸収性コア（吸収性コア４ａ）と、着用者の腰が挿入される腰回り開口部（腰回り開口部２１）と、前記着用者の脚が挿入される脚回り開口部（脚回り開口部２２）と、を備える使い捨ておむつであって、前記吸収性コアが配置された吸収性コア配置領域には、前記吸収性コアが厚み方向に曲がることができるように形成された曲部（低目付部４１）が形成されており、前記曲部は、前記前胴回り域において前記製品幅方向に延びており、前記曲部に沿って配置され、前記製品幅方向に伸縮する第１伸縮性部材（第１伸縮性部材１１）と、前記第１伸縮性部材よりも前記製品長手方向外側に配置され、前記製品幅方向に伸縮する第２伸縮性部材（第２伸縮性部材１２）と、を有することを要旨とする。
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
薬品情報を入力するための入力画面が表示される表示手段と、
前記入力画面における前記薬品情報の入力操作を受け付ける操作手段と、
を備える調剤支援システムであって、
前記調剤支援システムに接続されている調剤機器の種別を特定する特定手段と、
前記入力画面に表示される前記薬品情報の項目のうち前記特定手段により特定された前記調剤機器の種別に対応して予め設定された特定項目を他の項目と異なる表示態様で表示可能である表示制御手段と、
を備える調剤支援システム。
【請求項２】
前記表示制御手段が、前記特定手段により特定された前記調剤機器の種別が表示される対応機器表示領域を前記入力画面に表示可能である請求項１に記載の調剤支援システム。
【請求項３】
前記表示制御手段が、前記対応機器表示領域における前記調剤機器の種別を、前記調剤機器の種別に対応する前記特定項目の表示色と同じ表示色又は同系色で表示させる請求項２に記載の調剤支援システム。
【請求項４】
前記表示制御手段が、前記入力画面に表示される前記薬品情報の項目のうち予め設定された必須項目と前記特定項目と他の項目とがそれぞれ異なる表示態様で表示可能である請求項１〜３のいずれかに記載の調剤支援システム。
【請求項５】
前記表示制御手段が、前記入力画面に表示される前記薬品情報の項目のうち前記薬品情報の形体又は剤形に対応して予め設定された項目を前記特定項目として表示可能である請求項１〜４のいずれかに記載の調剤支援システム。
【請求項６】
前記表示制御手段が、前記調剤支援システムに接続されている前記調剤機器の種別の選択有無を切り換えるための選択操作部を前記入力画面に表示させ、
前記特定手段が、前記選択操作部の操作により選択された前記調剤機器の種別を前記調剤支援システムに接続されている前記調剤機器の種別として特定可能である請求項１〜５のいずれかに記載の調剤支援システム。
【請求項７】
前記特定手段が、前記調剤支援システムに接続されている前記調剤機器が予め登録されているシステム設定に基づいて前記調剤支援システムに接続されている前記調剤機器の種別を特定し、又は、前記調剤支援システムに接続されている機器に対してポーリング信号を送信した場合に取得される応答信号に基づいて前記調剤機器の種別を特定する、
請求項１〜６のいずれかに記載の調剤支援システム。
【請求項８】
前記表示制御手段が、前記薬品情報の項目が表示される複数の入力ページを順次切り換えるための順次切換操作部を表示させると共に、前記順次切換操作部の操作に応じて前記入力ページを順次切り換え可能である請求項１〜７のいずれかに記載の調剤支援システム。
【請求項９】
前記表示制御手段が、前記入力ページ各々に対応するステップ項目がステップ順に並べて配置されたステップ表示領域を前記入力画面に表示させると共に、前記ステップ項目のうち現在実行中のステップ項目を他のステップ項目と異なる表示態様で表示させる請求項８に記載の調剤支援システム。
【請求項１０】
前記調剤機器の種別と前記特定項目との対応関係を示す対応情報が記憶される対応記憶手段を更に備え、
前記表示制御手段が、前記対応記憶手段に記憶されている前記対応情報に基づいて前記調剤機器の種別の対応する前記特定項目を判断する請求項１〜９のいずれかに記載の調剤支援システム。
【請求項１１】
薬品情報を入力するための入力画面が表示される表示手段と、前記入力画面における前記薬品情報の入力操作を受け付ける操作手段と、を備える調剤支援システムに設けられるコンピュータに、
前記調剤支援システムに接続されている調剤機器の種別を特定する特定ステップと、
前記入力画面に表示される前記薬品情報の項目のうち前記特定手段により特定された前記調剤機器の種別に対応して予め設定された特定項目を他の項目と異なる表示態様で表示させる表示制御ステップと、
を実行させるための調剤支援プログラム。
【請求項１２】
薬品情報を入力するための入力画面が表示される表示手段と、前記入力画面における前記薬品情報の入力操作を受け付ける操作手段と、を備える調剤支援システムにおいて実行される薬品情報登録方法であり、
前記調剤支援システムに接続されている調剤機器の種別を特定する特定ステップと、
前記入力画面に表示される前記薬品情報の項目のうち前記特定手段により特定された前記調剤機器の種別に対応して予め設定された特定項目を他の項目と異なる表示態様で表示させる表示制御ステップと、
を実行する薬品情報登録方法。
【手続補正書】
【提出日】平成28年10月4日(2016.10.4)
【手続補正１】
【補正対象書類名】明細書
【補正対象項目名】０００１
【補正方法】変更
【補正の内容】
【０００１】
本発明は、複数の識別情報を変動表示する変動表示ゲームを実行する変動表示手段と、前記変動表示ゲームの実行に伴い所定の演出表示を行う演出表示装置と、前記演出表示装置における表示を制御する制御手段と、を備える遊技機に関する。
【手続補正２】
【補正対象書類名】明細書
【補正対象項目名】０００２
【補正方法】変更
【補正の内容】
【０００２】
従来の遊技機においては、始動条件が成立したことに基づいて、複数の識別情報（図柄、記号など）が変動する変動表示ゲームを実行し、停止した複数の識別情報の態様が予め定められた特別結果態様であった場合には、遊技者にとって有利な特別遊技状態となり、遊技者が多くの利益を獲得可能にするものがある（例えば、特許文献１参照）。
【手続補正３】
【補正対象書類名】明細書
【補正対象項目名】０００３
【補正方法】削除
【補正の内容】
【手続補正４】
【補正対象書類名】明細書
【補正対象項目名】０００５
【補正方法】変更
【補正の内容】
【０００５】
しかしながら、上記特許文献１に開示された遊技機では、高い演出効果を持つ演出が実行されず、遊技の興趣が低下する虞がある。
【手続補正５】
【補正対象書類名】明細書
【補正対象項目名】０００６
【補正方法】変更
【補正の内容】
【０００６】
本発明は、上記のような課題に着目してなされたもので、十分に興趣を高めることができる遊技機を提供することを目的とする。
【手続補正６】
【補正対象書類名】明細書
【補正対象項目名】０００７
【補正方法】変更
【補正の内容】
【０００７】
上記の課題を解決するため、請求項１に記載の発明は、
複数の識別情報を変動表示する変動表示ゲームを実行する変動表示手段と、
前記変動表示ゲームの実行に伴い所定の演出表示を行う演出表示装置と、
前記演出表示装置における表示を制御する制御手段と、を備える遊技機において、
物体の出し入れが可能な空間部と、
前記物体が前記空間部内に存在することを検出する検出手段と、
を備え、
前記制御手段は、
前記検出手段により前記物体が前記空間部内に存在することが検出された場合、前記演出表示装置の表示内容を変更可能であることを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
請求項２に記載の発明は、請求項１に記載の遊技機において、
前記検出手段により前記物体の存在が検出されたことを報知する報知手段を備え、
前記報知手段は、前記制御手段により制御され、前記変動表示手段と前記空間部との間に配設されることを特徴とする。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】変更
【補正の内容】
【００１３】
本発明によれば、十分に興趣を高めることができる。
【手続補正１３】
【補正対象書類名】特許請求の範囲
【補正対象項目名】全文
【補正方法】変更
【補正の内容】
【特許請求の範囲】
【請求項１】
複数の識別情報を変動表示する変動表示ゲームを実行する変動表示手段と、
前記変動表示ゲームの実行に伴い所定の演出表示を行う演出表示装置と、
前記演出表示装置における表示を制御する制御手段と、を備える遊技機において、
物体の出し入れが可能な空間部と、
前記物体が前記空間部内に存在することを検出する検出手段と、
を備え、
前記制御手段は、
前記検出手段により前記物体が前記空間部内に存在することが検出された場合、前記演出表示装置の表示内容を変更可能であることを特徴とする遊技機。
【請求項２】
前記検出手段により前記物体の存在が検出されたことを報知する報知手段を備え、
前記報知手段は、前記制御手段により制御され、前記変動表示手段と前記空間部との間に配設されることを特徴とする請求項１に記載の遊技機。
【手続補正書】
【提出日】平成28年10月4日(2016.10.4)
【手続補正１】
【補正対象書類名】明細書
【補正対象項目名】０００１
【補正方法】変更
【補正の内容】
【０００１】
本発明は、複数の識別情報が変動表示する変動表示ゲームを実行する変動表示手段と、所定の演出表示を表示可能な表示装置と、該表示装置における表示を制御する制御手段と、を備える遊技機に関する。
【手続補正２】
【補正対象書類名】明細書
【補正対象項目名】０００２
【補正方法】変更
【補正の内容】
【０００２】
従来の遊技機においては、始動条件が成立したことに基づいて、複数の識別情報（図柄、記号など）が変動する変動表示ゲームを実行し、停止した複数の識別情報の態様が予め定められた特別結果態様であった場合には、遊技者にとって有利な特別遊技状態となり、遊技者が多くの利益を獲得可能にするものがある（例えば、特許文献１参照）。
【手続補正３】
【補正対象書類名】明細書
【補正対象項目名】０００３
【補正方法】削除
【補正の内容】
【手続補正４】
【補正対象書類名】明細書
【補正対象項目名】０００５
【補正方法】変更
【補正の内容】
【０００５】
しかしながら、上記特許文献１に開示された遊技機では、高い演出効果を持つ演出が実行されず、遊技の興趣が低下する虞がある。
【手続補正５】
【補正対象書類名】明細書
【補正対象項目名】０００６
【補正方法】変更
【補正の内容】
【０００６】
本発明は、上記のような課題に着目してなされたもので、十分に興趣を高めることができる遊技機を提供することを目的とする。
【手続補正６】
【補正対象書類名】明細書
【補正対象項目名】０００７
【補正方法】変更
【補正の内容】
【０００７】
上記の課題を解決するため、請求項１に記載の発明は、
複数の識別情報が変動表示する変動表示ゲームを実行する変動表示手段と、所定の演出表示を表示可能な表示装置と、該表示装置における表示を制御する制御手段と、を備える遊技機において、
前記表示装置は、タッチパネルを備え、
前記制御手段は、
前記タッチパネルへの接触が検出された場合、前記表示装置の表示態様を変更可能であることを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
請求項２に記載の発明は、請求項１に記載の遊技機において、
前記制御手段は、
前記表示装置にキャラクタが表示可能であり、
前記表示装置に前記キャラクタが表示されている状態で前記タッチパネルへの接触が検出された場合、当該検出の前後において当該キャラクタの表示態様を異ならせることを特徴とする。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】変更
【補正の内容】
【００１３】
本発明によれば、十分に興趣を高めることができる。
【手続補正１３】
【補正対象書類名】特許請求の範囲
【補正対象項目名】全文
【補正方法】変更
【補正の内容】
【特許請求の範囲】
【請求項１】
複数の識別情報が変動表示する変動表示ゲームを実行する変動表示手段と、所定の演出表示を表示可能な表示装置と、該表示装置における表示を制御する制御手段と、を備える遊技機において、
前記表示装置は、タッチパネルを備え、
前記制御手段は、
前記タッチパネルへの接触が検出された場合、前記表示装置の表示態様を変更可能であることを特徴とする遊技機。
【請求項２】
前記制御手段は、
前記表示装置にキャラクタが表示可能であり、
前記表示装置に前記キャラクタが表示されている状態で前記タッチパネルへの接触が検出された場合、当該検出の前後において当該キャラクタの表示態様を異ならせることを特徴とする請求項１に記載の遊技機。
【手続補正書】
【提出日】平成28年10月4日(2016.10.4)
【手続補正１】
【補正対象書類名】明細書
【補正対象項目名】０００１
【補正方法】変更
【補正の内容】
【０００１】
本発明は、遊技者の開始操作部の開始操作によって複数の識別情報の変動表示を開始し、遊技者の停止操作部の停止操作によって当該複数の識別情報を停止表示させる変動表示ゲームを実行する変動表示手段と、前記変動表示ゲームの実行に伴い所定の演出表示を行う演出表示装置と、前記演出表示装置における表示を制御する制御手段と、を備える遊技機に関する。
【手続補正２】
【補正対象書類名】明細書
【補正対象項目名】０００２
【補正方法】変更
【補正の内容】
【０００２】
従来の遊技機においては、始動条件が成立したことに基づいて、複数の識別情報（図柄、記号など）が変動する変動表示ゲームを実行し、停止した複数の識別情報の態様が予め定められた特別結果態様であった場合には、遊技者にとって有利な特別遊技状態となり、遊技者が多くの利益を獲得可能にするものがある（例えば、特許文献１参照）。
【手続補正３】
【補正対象書類名】明細書
【補正対象項目名】０００３
【補正方法】削除
【補正の内容】
【手続補正４】
【補正対象書類名】明細書
【補正対象項目名】０００５
【補正方法】変更
【補正の内容】
【０００５】
しかしながら、上記特許文献１に開示された遊技機では、高い演出効果を持つ演出が実行されず、遊技の興趣が低下する虞がある。
【手続補正５】
【補正対象書類名】明細書
【補正対象項目名】０００６
【補正方法】変更
【補正の内容】
【０００６】
本発明は、上記のような課題に着目してなされたもので、十分に興趣を高めることができる遊技機を提供することを目的とする。
【手続補正６】
【補正対象書類名】明細書
【補正対象項目名】０００７
【補正方法】変更
【補正の内容】
【０００７】
上記の課題を解決するため、請求項１に記載の発明は、
遊技者の開始操作部の開始操作によって複数の識別情報の変動表示を開始し、遊技者の停止操作部の停止操作によって当該複数の識別情報を停止表示させる変動表示ゲームを実行する変動表示手段と、
前記変動表示ゲームの実行に伴い所定の演出表示を行う演出表示装置と、
前記演出表示装置における表示を制御する制御手段と、を備える遊技機において、
前記開始操作部及び前記停止操作部を有する台部を備え、
前記演出表示装置は、前記台部を挟んだ上側の第１表示領域と、下側の第２表示領域とで構成され、
前記制御手段は、
前記第１表示領域に表示可能な第１表示態様と、前記第２表示領域に表示可能な第２表示態様とを制御可能であり、
前記第１表示態様と前記第２表示態様とで形成され、前記第１表示領域と前記第２表示領域とに跨るように表示可能な特定表示態様を制御可能であることを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】変更
【補正の内容】
【００２１】
本発明によれば、十分に興趣を高めることができる。
【手続補正２１】
【補正対象書類名】特許請求の範囲
【補正対象項目名】全文
【補正方法】変更
【補正の内容】
【特許請求の範囲】
【請求項１】
遊技者の開始操作部の開始操作によって複数の識別情報の変動表示を開始し、遊技者の停止操作部の停止操作によって当該複数の識別情報を停止表示させる変動表示ゲームを実行する変動表示手段と、
前記変動表示ゲームの実行に伴い所定の演出表示を行う演出表示装置と、
前記演出表示装置における表示を制御する制御手段と、を備える遊技機において、
前記開始操作部及び前記停止操作部を有する台部を備え、
前記演出表示装置は、前記台部を挟んだ上側の第１表示領域と、下側の第２表示領域とで構成され、
前記制御手段は、
前記第１表示領域に表示可能な第１表示態様と、前記第２表示領域に表示可能な第２表示態様とを制御可能であり、
前記第１表示態様と前記第２表示態様とで形成され、前記第１表示領域と前記第２表示領域とに跨るように表示可能な特定表示態様を制御可能であることを特徴とする遊技機。
【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
着用者の腹部を覆う前胴回り部、及び前記着用者の臀部を覆う後胴回り部を含む胴回り部と、
前記前胴回り部と前記後胴回り部の間に配置され、かつ前記着用者の股下に配置される股下部と、
を有する着用物品であって、
前記胴回り部には、前記着用者の腰回りを囲み、該腰回りを支持する腰支持手段が設けられ、
前記股下部及び前記胴回り部の少なくとも一方には、前記着用者の脚を腹側に押し上げつつ前記着用者の脚を支持する脚支持手段が設けられている、着用物品。
【請求項２】
前記脚支持手段は、前記着用者の脚回りに配置され、当該脚回りに沿って伸縮するレッグ弾性部材によって構成されており、
前記レッグ弾性部材は、前記後胴回り部側の前記着用者の脚回りを前記腹側に向かって引き寄せるように収縮する、請求項１に記載の着用物品。
【請求項３】
前記レッグ弾性部材は、前記後胴回り部側に位置する後レッグ弾性部材と、前記前胴回り部側に位置する前レッグ弾性部材と、を有し、
前記前レッグ弾性部材が配置された領域の伸縮率は、前記後レッグ弾性部材が配置された領域の伸縮率よりも高い、請求項２に記載の着用物品。
【請求項４】
前記後胴回り部の前記着用者の臀部に当接する臀部当接部の収縮応力は、前記後レッグ弾性部材が配置された領域の収縮応力よりも低い、請求項３に記載の着用物品。
【請求項５】
前記前胴回り部の前記着用者の腹部に当接する腹部当接部の収縮応力は、前記前レッグ弾性部材が配置された領域の収縮応力よりも低い、請求項３又は請求項４に記載の着用物品。
【請求項６】
前記着用者の脚回りに配置される脚回り開口部が形成されており、
前記脚回り開口部の幅方向における内側端部は、前記着用物品の前後方向の中心よりも前側に位置する、請求項１から請求項５のいずれかに記載の着用物品。
【請求項７】
前記脚支持手段は、前記着用者の臀部側の脚回り及び前記着用者の臀部に当接し、前記着用者の脚を腹側に押圧する押圧部材である、請求項１から請求項３のいずれかに記載の着用物品。
【請求項８】
少なくとも前記股下部に配置され、体液を吸収する吸収体を備えており、
前記脚支持手段は、前記吸収体によって構成されている、請求項７に記載の着用物品。
【手続補正２】
【補正対象書類名】明細書
【補正対象項目名】０００８
【補正方法】変更
【補正の内容】
【０００８】
本開示に係る着用物品（使い捨ておむつ10）は、着用者の腹部を覆う前胴回り部（前胴回り部Ｓ１）、及び前記着用者の臀部を覆う後胴回り部（後胴回り部Ｓ２）を含む胴回り部と、前記前胴回り部と前記後胴回り部の間に配置され、かつ前記着用者の股下に配置される股下部（股下部Ｓ３）と、を有する着用物品であって、前記胴回り部には、前記着用者の腰回りを囲み、該腰回りを支持する腰支持手段（腰回り弾性部材８２、フィット弾性部材８３、外装表面シート７１、外装裏面シート７２）が設けられ、前記股下部及び前記胴回り部の少なくとも一方には、前記着用者の脚を腹側に押し上げつつ前記着用者の脚を支持する脚支持手段（前レッグ弾性部材８１Ｆ、吸収体３０、押圧部材９０）が設けられていることを要旨とする。
【手続補正書】
【提出日】平成28年3月10日(2016.3.10)
【手続補正１】
【補正対象書類名】明細書
【補正対象項目名】００１０
【補正方法】変更
【補正の内容】
【００１０】
【図１】本実施形態に係る使い捨ておむつの伸長状態の展開平面図である。
【図２】図１に示すＡ−Ａ断面図である。
【図３】図１に示す使い捨ておむつを着用者に装着し、着用者の体圧が掛かる前の状態を示す断面図である。
【図４】図１に示す使い捨ておむつを着用者に装着し、着用者の体圧が掛かった後の状態を示す断面図である。
【図５】変形例１に係る使い捨ておむつの伸長状態の展開平面図である。
【図６】図５に示すＢ−Ｂ断面図である。
【図７】変形例２に係る使い捨ておむつの使い捨ておむつの伸長状態の展開平面図である。
【図８】図７に示すＣ−Ｃ断面図である。
【図９】図７に示すＣ−Ｃ断面における装着状態を模式的に示した図である。
【図１０】変形例３に係る使い捨ておむつの展開平面図である。
【図１１】変形例４に係る使い捨ておむつの斜視図である。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
被検者の顔面に装着されるマスクであって、
被検者の鼻と口の少なくとも一部を覆い、内部空間を区画する壁部と、
前記内部空間に配置され、被検者の呼気を導入する呼気導入部と、
前記呼気導入部より導入された被検者の呼気を呼気ガス濃度検出センサに導く通気路を区画する通気部とを備え、
前記呼気導入部は、前記内部空間における位置が可変とされている、マスク。
【請求項２】
前記壁部と前記呼吸導入部を架橋する架橋部を備え、
前記架橋部は伸縮可能とされている、請求項１に記載のマスク。
【請求項３】
前記架橋部は、蛇腹形状の部分を有する、請求項２に記載のマスク。
【請求項４】
前記通気部と前記呼気導入部は、相対変位可能に結合されている、請求項１から３のいずれか一項に記載のマスク。
【請求項５】
前記呼気導入部は前記通気部に支持されており、
前記通気部が前記壁部に支持されている位置を調節する調節機構を備える、請求項１から４のいずれか一項に記載のマスク。
【請求項６】
前記調節機構は、前記壁部を弾性変形させることにより前記位置を調節可能な機構を含む、請求項５に記載のマスク。
【請求項７】
前記呼気導入部は、装着時において被検者の顔面に対向する側に開口する第１開口部と上方に開口する第２開口部を区画する仕切り部を備える、請求項１から６のいずれか一項に記載のマスク。
【請求項８】
発光素子と受光素子を含む呼気ガス濃度検出センサを、当該発光素子から出射された光が前記通気路の一部を横切るように支持するセンサ支持部を備え、
前記センサ支持部は、前記壁部の外側と前記通気路を連通する換気口を備え、
前記換気口は、前記通気路の前記一部を避けて配置されている、請求項１から７のいずれか一項に記載のマスク。
【請求項９】
前記内部空間に連通し、酸素供給チューブの一端を保持する酸素供給部と、
前記呼気ガス濃度検出センサに接続された信号線を着脱可能に保持する保持部を備え、
前記酸素供給部と前記保持部は、前記センサ支持部を挟んで対称に配置されている、請求項８に記載のマスク。
【請求項１０】
被検者の顔面に装着されるマスクであって、
被検者の鼻と口の少なくとも一部を覆い、内部空間を区画する壁部と、
前記内部空間に配置され、被検者の呼気を導入する呼気導入部と、
前記呼気導入部より導入された被検者の呼気を呼気ガス濃度検出センサに導く通気路を区画する通気部とを備え、
前記呼気導入部は、装着時において被検者の顔面に対向する側に開口する第１開口部と上方に開口する第２開口部を区画する仕切り部を備える、マスク。
【請求項１１】
被検者の顔面に装着されるマスクであって、
被検者の鼻と口の少なくとも一部を覆い、内部空間を区画する壁部と、
前記内部空間に配置され、被検者の呼気を導入する呼気導入部と、
前記呼気導入部より導入された被検者の呼気を呼気ガス濃度検出センサに導く通気路を区画する通気部とを備え、
前記通気部が前記壁部に支持されている位置を調節する調節機構を備える、マスク。
【請求項１２】
被検者の顔面に装着されるマスクであって、
被検者の鼻と口の少なくとも一部を覆い、内部空間を区画する壁部と、
前記内部空間に配置され、被検者の呼気を導入する呼気導入部と、
前記呼気導入部より導入された被検者の呼気を呼気ガス濃度検出センサに導く通気路を区画する通気部と、
前記内部空間に連通し、酸素供給チューブの一端を保持する酸素供給部と、
装着時において前記顔面から離れる方向に開口した部分を有する保持部とを備え、
前記酸素供給部と前記保持部は、前記通気部を挟んで対称に配置されている、マスク。
【請求項１３】
被検者の顔面に装着されるマスクであって、
被検者の鼻と口の少なくとも一部を覆い、内部空間を区画する壁部と、
前記内部空間に配置され、被検者の呼気を導入する呼気導入部と、
前記呼気導入部より導入された被検者の呼気を呼気ガス濃度検出センサに導く通気路を区画する通気部とを備え、
前記通気部は、前記壁部の外側と前記通気路を連通する換気口を備え、
前記換気口は、装着時において前記通気路よりも前記顔面から離れて位置するように配置されている、マスク。
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
被検体の断層画像を取得する断層画像取得手段と、
前記被検体の３次元画像を取得する３次元画像取得手段と、
前記３次元画像において前記断層画像に対応する断面領域を算出する算出手段と、
算出された前記断面領域による前記３次元画像の断面画像を生成する生成手段と、
前記断層画像と前記断面画像とを表示手段に表示させる表示制御手段と
を備え、
前記算出手段は、指定された姿勢を前記断面領域の姿勢とする
ことを特徴とする画像処理装置。
【請求項２】
前記断層画像の位置姿勢を取得する位置姿勢取得手段を更に備え、
前記算出手段は、前記位置姿勢に基づいて、前記断層画像に対応する断面領域を算出する
ことを特徴とする請求項１に記載の画像処理装置。
【請求項３】
前記３次元画像の注目部位の位置を取得する注目位置取得手段を更に備え、
前記算出手段は、前記注目部位の位置に基づいて、前記断層画像に対応する断面領域を算出する
ことを特徴とする請求項１又は２に記載の画像処理装置。
【請求項４】
前記断面領域がとり得る姿勢として複数の姿勢が指定されており、
前記算出手段は、前記複数の姿勢のうちいずれか１つの姿勢を前記断面領域の姿勢として選択する
ことを特徴とする請求項１から３のいずれか１項に記載の画像処理装置。
【請求項５】
前記算出手段は、前記複数の姿勢のうち操作者により指定された姿勢を前記断面領域の姿勢として選択することを特徴とする請求項４に記載の画像処理装置。
【請求項６】
前記算出手段は、前記断層画像の位置姿勢に基づいて、前記断面領域の姿勢を選択することを特徴とする請求項４に記載の画像処理装置。
【請求項７】
前記断層画像取得手段は、前記被検体を超音波で撮影した画像を前記断層画像として取得することを特徴とする請求項１から６のいずれか１項に記載の画像処理装置。
【請求項８】
前記指定された姿勢は、前記被検体の撮影体位に基づいて設定されることを特徴とする請求項１から７のいずれか１項に記載の画像処理装置。
【請求項９】
前記表示制御手段は、更に、前記３次元画像の前記断層画像の位置姿勢の断面に係る画像を前記表示手段に表示させることを特徴とする請求項１から８のいずれか１項に記載の画像処理装置。
【請求項１０】
被検体の断層画像を取得する工程と、
前記被検体の３次元画像を取得する工程と、
前記３次元画像において前記断層画像に対応する断面領域を算出する工程と、
算出された前記断面領域による前記３次元画像の断面画像を生成する工程と、
前記断層画像と前記断面画像とを表示手段に表示させる工程と
を備え、
前記算出する工程において、指定された姿勢を前記断面領域の姿勢とする
ことを特徴とする画像処理装置の制御方法。
【請求項１１】
コンピュータを請求項１から９のいずれか１項に記載の画像処理装置が備える各手段として機能させるためのコンピュータプログラム。
【手続補正２】
【補正対象書類名】明細書
【補正対象項目名】発明の名称
【補正方法】変更
【補正の内容】
【発明の名称】画像処理装置及びその制御方法、コンピュータプログラム
【手続補正３】
【補正対象書類名】明細書
【補正対象項目名】０００１
【補正方法】変更
【補正の内容】
【０００１】
本発明は、３次元画像を処理する画像処理装置及びその制御方法、コンピュータプログラムに関するものである。
【手続補正書】
【提出日】平成28年9月21日(2016.9.21)
【手続補正１】
【補正対象書類名】特許請求の範囲
【補正対象項目名】請求項２０
【補正方法】変更
【補正の内容】
【請求項２０】
コンピュータに、請求項１８または１９に記載のＸ線画像処理方法の各工程を実行させるためのプログラム。
【手続補正書】
【提出日】平成28年9月27日(2016.9.27)
【手続補正１】
【補正対象書類名】明細書
【補正対象項目名】０００２
【補正方法】変更
【補正の内容】
【０００２】
従来から、円柱状のロール洗浄部材をウエハ等の基板に押し当てて、基板表面を洗浄する基板洗浄装置が知られている。この種の基板洗浄装置においては、ロール洗浄部材を回転自在に保持するロールアームが設けられ、当該ロールアームは、ロール洗浄部材をウエハの表面に対して近接および離間させるための昇降機構に連結される。この昇降機構は、配置スペースの問題などに起因して、ロールアームの側方に配置される。昇降機構は、水平方向に延びるサポートアームを有しており、当該サポートアームでロールアームを支持している。
【手続補正２】
【補正対象書類名】明細書
【補正対象項目名】０００４
【補正方法】変更
【補正の内容】
【０００４】
そこで、ロール洗浄部材の高さを調整するための高さ調整機構がロールアームに搭載されている。図１０は、従来の高さ調整機構の概略断面図である。図１０に示されるように、この高さ調整機構では、断面略直角三角形状の２つの楔１８０，１８１を、その斜面が接触し合うように上下に重ねている。そして、これら楔１８０，１８１の重なり量を調整することで、ロール洗浄部材１４６の高さが調整される。この高さ調整機構では、楔１８０，１８１の重なり量を調整するための調整スクリュー１８３が下側楔１８１に取り付けられる。調整スクリュー１８３は、ロールアーム１８５に固定されたスクリューサポート１８４により、回転可能に支持されている。このスクリューサポート１８４により、調整スクリュー１８３はその軸心まわりに回転可能であるが、調整スクリュー１８３自身の水平方向の移動はできないようになっている。
【手続補正３】
【補正対象書類名】明細書
【補正対象項目名】０００８
【補正方法】変更
【補正の内容】
【０００８】
さらに、従来の高さ調整機構では、楔１８０，１８１をスライドさせるための調整スクリュー１８３がロールアーム１８５から水平方向に突出している。このような構成では、基板洗浄に用いられる薬液やリンス液などの処理液が調整スクリュー１８３に付着することがある。この場合、付着した処理液が基板表面へ滴下して、基板への逆汚染の原因になりかねない。また、薬液やリンス液は、通常、ロールアーム１８５の側方に配置された薬液ノズルやリンス液ノズルを用いて、斜め上方から基板に供給される。しかしながら、調整スクリュー１８３がロールアームから水平方向に突出していると、薬液ノズルやリンス液ノズルは、調整スクリュー１８３を避けるように配置されなければならない。したがって、薬液ノズルやリンスノ液ズルの位置や角度などのレイアウトが制限され、自由なレイアウト設計を阻害する要因となっていた。
【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
酸化物層と、半導体層と、一対の電極と、ゲート電極と、ゲート絶縁層とを有し、
前記酸化物層は、凸状の表面形状を有する凸部を備え、
前記半導体層は、前記酸化物層の前記凸部の上面及び側面に沿って設けられ、
前記一対の電極は、前記半導体層と重なる位置で離間し、
前記一対の電極の各々は、前記半導体層と電気的に接続し、且つ前記半導体層の上面及び側面に沿って設けられ、
前記ゲート電極は、前記半導体層の上面及び側面に沿って設けられ、
前記ゲート絶縁層は、前記半導体層と前記ゲート電極との間に位置する、
半導体装置。
【請求項２】
前記酸化物層の前記上面に垂直な方向からみて、
前記半導体層は、前記一対の電極及び前記ゲート電極と重畳しないオフセット領域を有する、
請求項１に記載の、半導体装置。
【請求項３】
前記酸化物層の前記上面に垂直な方向からみて、
前記半導体層と重畳する前記ゲート電極の端部が、前記一対の電極と重畳して設けられた、
請求項１に記載の、半導体装置。
【請求項４】
前記酸化物層の前記凸部の内側に、導電層を備える、
請求項１乃至請求項３のいずれか一に記載の、半導体装置。
【請求項５】
前記半導体層は、酸化物半導体を含む、
請求項１乃至請求項４のいずれか一に記載の、半導体装置。
【請求項６】
前記半導体層は、ｃ軸が前記酸化物層の前記凸部の表面の法線方向に配向する結晶部を複数有し、
且つ、隣接する２つの前記結晶部間に粒界を有さない、
請求項５に記載の、半導体装置。
【請求項７】
前記酸化物層は、化学量論的組成を満たす酸素よりも多くの酸素を含む領域を有する、
請求項５または請求項６に記載の、半導体装置。
【請求項８】
前記酸化物層は、前記半導体層に含まれる金属元素を一種以上含む、
請求項５乃至請求項７のいずれか一に記載の、半導体装置。
【請求項９】
前記半導体層と前記酸化物層との間に、前記半導体層に含まれる金属元素を一種以上含む第１の酸化物層を有する、
請求項５乃至請求項８のいずれか一に記載の、半導体装置。
【請求項１０】
前記半導体層と前記ゲート絶縁層との間に、前記半導体層に含まれる金属元素を一種以上含む第２の酸化物層を有する、
請求項５乃至請求項９のいずれか一に記載の、半導体装置。
【手続補正書】
【提出日】平成28年9月21日(2016.9.21)
【手続補正１】
【補正対象書類名】明細書
【補正対象項目名】０００１
【補正方法】変更
【補正の内容】
【０００１】  本発明は、降雨量に対して蒸発量が大きく乾燥が著しい砂漠などにおいて、超撥水性ナノファイバーシートを使用して、豊かな風土の緑化を可能にした砂漠などの緑化方法に関するものである。
【手続補正２】
【補正対象書類名】図面
【補正対象項目名】全図
【補正方法】変更
【補正の内容】
【図１】
2015073531.tif 000001
【図２】
2015073531.tif 000002
【図３】
2015073531.tif 000003
【図４】
2015073531.tif 000004
【図５】
2015073531.tif 000005
【図６】
2015073531.tif 000006
【図７】
2015073531.tif 000007
【図８】
2015073531.tif 000008
【図９】
2015073531.tif 000009
【図１０】
2015073531.tif 000010
【図１１】
2015073531.tif 000011
【図１２】
2015073531.tif 000012
【図１３】
2015073531.tif 000013
【図１４】
2015073531.tif 000014
【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
同調化された細胞を人為的に融合させることを含む、融合細胞の作製方法。
【請求項２】
細胞を同調化させることをさらに含む、請求項１記載の方法。
【請求項３】
細胞の同調化が、細胞周期のＭ期で細胞を停止させることにより行われる、請求項２記載の方法。
【請求項４】
細胞の同調化が微小管阻害剤を用いて行われる、請求項２または３記載の方法。
【請求項５】
微小管阻害剤がチューブリン重合阻害剤である、請求項４記載の方法。
【請求項６】
以下の特性を有する、融合細胞：
ａ）融合に用いられた元の細胞に比し１．３倍以上のサイズ；
ｂ）融合に用いられた元の細胞に比し１．３倍以上複雑な細胞内構造；および
ｃ）融合に用いられた元の細胞に比し向上したタンパク質生産能。
【請求項７】
融合細胞が哺乳動物由来である、請求項６記載の融合細胞。
【請求項８】
融合細胞が、無血清培地中で培養したときに扁平状に伸展した接着細胞として増殖する能力を有する細胞である、請求項６または７記載の融合細胞。
【請求項９】
扁平状に伸展した接着細胞の長径が７０μｍ以上である、請求項８記載の融合細胞。
【請求項１０】
融合細胞がチャイニーズハムスター卵巣細胞またはその亜株由来である、請求項６〜９のいずれか一項記載の融合細胞。
【請求項１１】
タンパク質の発現ベクターを含む、請求項６〜１０のいずれか一項記載の融合細胞。
【請求項１２】
同調化された細胞を人為的に融合させることにより得られる細胞である、請求項６〜１１のいずれか一項記載の融合細胞。
【請求項１３】
請求項６〜１２のいずれか一項記載の融合細胞を培地中で培養することを含む、タンパク質の製造方法。
【請求項１４】
タンパク質が抗体である、請求項１３記載の方法。
【請求項１５】
培地が無血清培地である、請求項１３または１４記載の方法。
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
NK細胞を培養するためのNK細胞培養容器であって、
生体試料と接する面の一部又は全部がシクロオレフィンポリマーで形成されており、並びに、
抗CD3抗体及び抗CD52抗体が該生体試料と接する面の一部又は全部にコーティングされていることを特徴とするNK細胞培養容器。
【請求項２】
単核球を含む生体試料を、生体試料と接する面の一部又は全部がシクロオレフィンポリマーで形成されており並びに抗CD3抗体及び抗CD52抗体が該生体試料と接する面の一部又は全部にコーティングされている培養容器に添加して培養することを含むNK細胞培養方法。
【請求項３】
単核球を含む生体試料を、抗CD3抗体及び抗CD52抗体が結合したビーズを収納する培養容器に添加して培養することを含むNK細胞培養方法。
【請求項４】
単核球を含む生体試料を、抗CD3抗体及び抗CD52抗体が結合したビーズを収納する生体試料と接する面の一部又は全部がシクロオレフィンポリマーで形成された培養容器に添加して培養することを含むNK細胞培養方法。
【請求項５】
NK細胞を培養するためのNK細胞培養容器であって、
生体試料と接する面がシクロオレフィンポリマーで形成されており、並びに、
抗CD3抗体及び抗CD52抗体が該生体試料と接する面にコーティングされていることを特徴とするNK細胞培養容器。
【請求項６】
単核球を含む生体試料を、生体試料と接する面がシクロオレフィンポリマーで形成されており並びに抗CD3抗体及び抗CD52抗体が該生体試料と接する面にコーティングされている培養容器に添加して培養することを含むNK細胞培養方法。
【手続補正書】
【提出日】平成28年7月19日(2016.7.19)
【手続補正１】
【補正対象書類名】明細書
【補正対象項目名】発明の名称
【補正方法】変更
【補正の内容】
【発明の名称】金属酸化物膜
【手続補正２】
【補正対象書類名】特許請求の範囲
【補正対象項目名】全文
【補正方法】変更
【補正の内容】
【特許請求の範囲】
【請求項１】
絶縁表面上に位置する金属酸化物膜であって、
前記金属酸化物膜は、第１の結晶領域と、第２の結晶領域とを有し、
前記第１の結晶領域は、前記金属酸化物膜の表面に垂直な方向から見てｃ軸配向した結晶を有し、
前記第２の結晶領域は、前記金属酸化物膜の表面に垂直な方向から見てｃ軸配向した結晶を有し、
前記第１の結晶領域と前記第２の結晶領域との間の領域は、透過型電子顕微鏡を用いた観察によって結晶粒界が観察されず、且つ、極微電子線回折パターンに輝点が観察される領域であり、
前記第１の結晶領域のａ軸の方向と、前記第２の結晶領域のａ軸の方向とは、互いに異なり、
前記第１の結晶領域のｂ軸の方向と、前記第２の結晶領域のｂ軸の方向とは、互いに異なることを特徴とする金属酸化物膜。
【請求項２】
絶縁表面上に位置する金属酸化物膜であって、
前記金属酸化物膜は、第１の結晶領域と、第２の結晶領域とを有し、
前記第１の結晶領域は、前記金属酸化物膜の表面に垂直な方向から見てｃ軸配向した結晶を有し、
前記第２の結晶領域は、前記金属酸化物膜の表面に垂直な方向から見てｃ軸配向した結晶を有し、
前記第１の結晶領域と前記第２の結晶領域との間の領域は、透過型電子顕微鏡を用いた観察によって結晶粒界が観察されず、且つ、極微電子線回折パターンに輝点が観察される領域であり、
前記金属酸化物膜の表面から観察した前記第１の結晶領域の極微電子線回折パターンは、第１の対称軸を有する輝点を有し、
前記金属酸化物膜の表面から観察した前記第２の結晶領域の極微電子線回折パターンは、第２の対称軸を有する輝点を有し、
前記第１の対称軸の方向と前記第２の対称軸の方向とは、互いに異なることを特徴とする金属酸化物膜。
【請求項３】
請求項１又は２において、
前記第１の領域と前記第２の領域との間の領域における前記極微電子線回折パターンは前記輝点として、帯状の輝点を有することを特徴とする金属酸化物膜。
【請求項４】
請求項１乃至３のいずれか一において、
前記金属酸化物膜は、インジウム、ガリウム及び亜鉛を有することを特徴とする金属酸化物膜。